(57)【要約】ソフトウェアを実行する処理ユニットと、処理ユニットと通信する電子ディスプレイと、処理ユニットと通信する記憶ユニットとを具える組織治療システム。ソフトウェアが処理ユニットに患者履歴データベース、治療履歴データベース、及び画像履歴データベースを管理させるように構成できる。処理ユニットは臨床医が任意の前記データベース中に記憶される情報にアクセス及び表示できるように更に構成できる。【選択図】  なし【特許請求の範囲】
【請求項１】
組織治療システムであって、
ソフトウェアを実行する処理ユニットと；
前記処理ユニットと通信する電子ディスプレイと；
前記処理ユニットと通信する記憶ユニットと；
を具え、前記ソフトウェアが前記処理ユニットに患者履歴データベース、治療履歴データベース、及び画像履歴データベースを管理させるように構成され、前記処理ユニットは臨床医が任意の前記データベース中に記憶される情報にアクセス及び表示できるように構成されることを特徴とする組織治療システム。
【請求項２】
請求項１に記載の組織治療システムが、
組織部位の画像をキャプチャするように構成される画像キャプチャ装置と；
前記処理ユニットと通信して、前記画像キャプチャ装置によってキャプチャされる前記組織部位の画像を受け取るように構成される入力／出力ユニットと；
を更に具えることを特徴とする組織治療システム。
【請求項３】
請求項１に記載の組織治療システムが、前記処理ユニットと通信するタッチスクリーン式の電子ディスプレイを更に具え、前記ソフトウェアは、前記タッチスクリーン式の電子ディスプレイを介して、臨床医が任意の前記患者、治療、及び画像履歴にアクセスできるように構成されることを特徴とする組織治療システム。
【請求項４】
請求項１に記載の組織治療システムにおいて、前記患者履歴データベースが、患者の組織治療を行った際の日付、時間及び事象を同定する記録を含むことを特徴とする組織治療システム。
【請求項５】
請求項１に記載の組織治療システムにおいて、前記治療履歴データベースが日付、時間、モード、圧力、及び治療期間を同定する記録を含むことを特徴とする組織治療システム。
【請求項６】
請求項１に記載の組織治療システムにおいて、前記画像履歴データベースが画像、日付、及び画像がキャプチャされる時間を含む記録を有することを特徴とする組織治療システム。
【請求項７】
請求項６に記載の組織治療システムにおいて、前記処理ユニットが経時的に組織部位のサムネイル画像を表示し、臨床医が画像を選択的に拡大できるように更に構成されることを特徴とする組織治療システム。
【請求項８】
請求項７に記載の組織治療システムにおいて、前記処理ユニットが前記拡大された画像上にグラフィックを表示して、前記組織部位の輪郭を示すように更に構成されることを特徴とする組織治療システム。
【請求項９】
請求項１に記載の組織治療システムにおいて、前記ソフトウェアは、臨床医が組織治療パラメータを入力でき、組織治療を前記治療パラメータにより行わせるように更に構成されることを特徴とする組織治療システム。
【請求項１０】
請求項９に記載の組織治療システムにおいて、前記ソフトウェアは、前記臨床医が組織治療パラメータとして複数の創傷タイプのうちの１つを選択できるように更に構成されることを特徴とする組織治療システム。
【請求項１１】
組織治療情報を管理するための方法であって、
患者履歴情報を記憶するステップと；
治療履歴情報を記憶するステップと；
患者の組織部位について、当該組織部位への組織治療の結果を示す画像履歴情報を記憶するステップと；
患者、治療、及び画像履歴情報のうちの少なくとも１の記録にアクセスするステップと；
前記少なくとも１の記録を表示して、前記患者に提供した過去の治療に基づいて、臨床医が組織治療を決めることができ、前記組織部位への前記組織治療の結果が処理されるステップと；
を具えることを特徴とする方法。
【請求項１２】
請求項１１に記載の方法が、
組織部位の画像をキャプチャするステップと；
前記組織部位のキャプチャした画像を受け取るステップと；
を更に具えることを特徴とする方法。
【請求項１３】
請求項１１に記載の方法が、タッチスクリーン式の電子ディスプレイを介して、臨床医が任意の前記患者、治療、及び画像履歴にアクセスできるステップを更に具えることを特徴とする方法。
【請求項１４】
請求項１１に記載の方法において、患者履歴を記憶するステップが、患者の組織治療を行った際の日付、時間及び事象を同定する記録を記憶するステップを更に具えることを特徴とする方法。
【請求項１５】
請求項１１に記載の方法において、治療履歴を記憶するステップが、日付、時間、モード、圧力、及び治療期間を同定する記録を記憶するステップを具えることを特徴とする方法。
【請求項１６】
請求項１１に記載の方法において、画像履歴を記憶するステップが、画像、日付、及び画像がキャプチャされる時間を含む記録を記憶するステップを具えることを特徴とする方法。
【請求項１７】
請求項１６に記載の方法が、
経時的に組織部位のサムネイル画像を表示するステップと；
臨床医が画像を選択的に拡大できるステップと；
を更に具えることを特徴とする方法。
【請求項１８】
請求項１７に記載の方法が、前記拡大された画像上にグラフィックを表示して、前記組織部位の輪郭を示すステップを更に具えることを特徴とする方法。
【請求項１９】
請求項１１に記載の方法が、
臨床医が組織治療パラメータを入力できるステップと；
組織治療を前記治療パラメータにより行うステップと；
を更に具えることを特徴とする方法。
【請求項２０】
請求項１９に記載の方法が、組織治療パラメータとして複数の創傷タイプのうちの１つの選択を受け取るステップを更に具えることを特徴とする方法。
【発明の詳細な説明】
【技術分野】
【０００１】
本発明の原理は一般的には患者及び治療履歴に関連する情報を管理すること、特に、限定する目的ではないが、組織治療システムを用いる臨床医が組織治療システムを用いた連続した組織治療を決定するために、組織治療システム上に患者履歴、治療履歴及び創傷写真を記憶することを可能にするためのシステム及び方法に関する。
【背景技術】
【０００２】
創傷治療法の分野が近年進歩している。創傷治療法の進歩のうちの１つが、持続陰圧吸引創傷治癒（Ｖａｃｃｕｍ  ａｓｓｉｓｔｅｄ  ｗｏｕｎｄ  ｈｅａｌｉｎｇ）の発展である。創傷への減少するあるいは負の圧力の印加は臨床的に示されて、創傷あるいは組織部位での血流を改善し、組織の成長を増加させ、感染を低減させ、治癒時間を改善してきた。介護者及び臨床医はこのような持続陰圧吸引創傷治癒を用いて、褥瘡、糖尿病性創傷、腹部創傷、中間層熱傷、外傷創傷、フラップ、及び移植のような、多様な慢性的及び急性的な創傷タイプを治療できる。
【０００３】
創傷及び創傷治癒プロセスの背景技術
創傷は一般的には、皮膚の上皮完全性の破壊として定義されている。しかしながら、このような外傷は真皮、皮下脂肪、筋膜、筋及び骨さえも含み、更に深くなりうる。適切な創傷治癒は組織修復に導く、非常に複合的、動的及び統合的な一連のステップである。急性的な創傷治癒は細胞外の基質環境内に統合的方法で作用して、損傷した組織を修復する常在性及び遊走性細胞集団の双方を含む動的プロセスである。いくつかの創傷は（多様な理由のため）この方法では治癒できず、慢性的創傷と呼ばれている。
【０００４】
組織外傷に続く、創傷の統合的な治癒は一般的には、重複するが明確に規定された、止血、炎症、増殖、再構築という４つの段階を具える。止血段階は出血ステップと、凝血ステップと、血小板及び補体の活性化ステップである、創傷反応及び修復における第１のステップを具えている。炎症は１日目の終わりの時間近くがピークとなる。細胞増殖は次の７乃至３０日にわたり生じ、創傷領域測定が最も有用になりうる期間を含んでいる。この期間中ずっと、線維増殖、血管形成、再上皮化及び細胞外基質合成が生じている。創傷内の初期のコラーゲン形成は一般的に約７日でピークとなる。創傷再上皮化は最適な条件下で約４８時間で生じ、その時間に創傷は完全に塞がれうる。治癒する創傷は、３週で１５％乃至２０％の全引っ張り強さを、４月で６０％の全強度を有することができる。１月後に、分解及び再構築段階が開始し、ここで細胞質及び血管分布が低減し、引っ張り強さが増加する。成熟した瘢痕の形成は多くの場合、６乃至１２月必要となる。
【０００５】
創傷治癒プロセスを測定するための関連技術の試み
効果的な創傷療法措置を提供することに対応するのは、創傷の大きさ及び治癒する速度について測定する能力である。創傷に対する治癒速度を決定する、過去の経歴、とはいえ一般的に有効な方法は期間中ずっと創傷サイズ全体における変化を追跡することである。
【０００６】
臨床医が創傷治癒を履歴に基づき追跡する一方法は、期間にわたって写真を撮り、期間にわたって創傷の変化に対する写真を見ることができるように、患者のファイル内の写真を維持することである。臨床医は更に患者に対する治療プログラムを構築して、創傷を治療する。当該技術分野で理解されるように、患者は医療施設において、あるいは外来患者として治療されうる。患者が治療されるのが医療施設内であれ、家庭内であれ、臨床医に共通の問題は、治療が適切に実行されるか否かである。患者が医療施設内で治療される場合においては、治療設備が不正確になり、電力が治療中に切れ、真空圧力が被膜漏れのために低減し、キャニスタがいっぱいになり真空療法を妨害し、あるいは、多数の他の理由によって、臨床医によって指示されるように組織治療が提供されないようにする、という可能性がある。患者が組織治療システムを用いて家庭で治療される場合においては、同一の問題が、臨床医の治療指示に従うことにおいて患者が勤勉でない可能性に加え、医療施設内と同様に存在している。例えば、患者は、非常に短い又は非常に長い期間治療セッションを行うことができ、治療セッションをスキップすることができ、あるいは、その他の場合において、臨床医の指示した創傷療法治療に従わないことができる。
【０００７】
組織治療が適切に守られない場合、組織は適切に治癒されず、臨床医は創傷あるいは他の組織部位を十分に診断し治療する能力を失う。創傷治療は材料及び専門の治療時間の双方において高価になりうるため、患者に基づいた治療は治療計画に正確に従う必要がある。更に、創傷及び創傷治癒プロセスはの正確な評価は本質になりうる。
【発明の概要】
【０００８】
臨床医が組織治療を適切に管理及びモニタするのを可能にするために、データベースを用いて患者履歴及び治療履歴を記憶して、臨床医が患者が指示した治療に従っていることを確認し、治療に応じた患者の組織の履歴情報を見ることができるような組織治療システムを規定する。更に、組織治療システムは、画像を含むデータベースにアクセスでき、組織領域のような、組織部位の統計学的情報が処理される。臨床医はデータベース内の情報を用いて、更なる治療の決定をすることができる。
【０００９】
システムの一実施例は、ソフトウェアを実行する処理ユニットと、処理ユニットと通信する電子ディスプレイと、処理ユニットと通信する記憶ユニットとを有する組織治療システムを具えている。ソフトウェアは処理ユニットに患者履歴データベース、治療履歴データベース、及び画像履歴データベースを管理させるように構成されうる。処理ユニットは更に臨床医が任意の前記データベース中に記憶される情報にアクセス及び表示できるように構成されうる。
【００１０】
組織治療情報を管理するための方法の一実施例が、患者履歴情報を記憶するステップと、治療履歴情報を記憶するステップと、患者の組織部位画像履歴情報を記憶するステップと、患者、治療、及び画像履歴情報のうちの少なくとも１の記録にアクセスするステップと、を具え、画像履歴情報は組織部位への組織治療の結果を示している。記録は、前記患者に提供した過去の治療に基づいて、臨床医が組織治療を決めることができるように表示でき、前記組織部位への前記組織治療の結果が処理される。
【図面の簡単な説明】
【００１１】
【図１】図１は、本発明の原理による組織治療システムを用いた例示的な患者環境の図である。
【図２】図２は、臨床医が図１の組織治療システムを制御するのを可能にする、例示的な主要メニューのグラフィカルユーザインタフェースの図である。
【図３】図３は、臨床医が患者の組織部位を治療するために組織治療を設定するのを可能にする、例示的な設定のグラフィカルユーザインタフェースの図である。
【図４】図４は、臨床医が患者の組織部位に連続印加すべき圧力を選択するのを可能にする、例示的な連続圧力のグラフィカルユーザインタフェースの図である。
【図５】図５は、臨床医がＯＮ及びＯＦＦの時間を入力及び選択して、患者の創傷部位に間欠的な組織治療を適用するのを可能にする、例示的な間欠圧力のグラフィカルユーザインタフェースの図である。
【図６】図６は、臨床医が組織治療システムによって治療すべき、事前構築された多数の創傷タイプのうちの１の創傷タイプを選択するのを可能にする、例示的な創傷タイプ選択のグラフィカルユーザインタフェースの図である。
【図７】図７は、臨床医が強度を選択して患者の組織部位に組織治療のために適用するのを可能にする、例示的な強度のグラフィカルユーザインタフェースの図である。
【図８】図８は、患者の組織部位に対する組織治療を確認する、例示的な確認のグラフィカルユーザインタフェースの図である。
【図９】図９は、本発明の原理による、患者の組織部位に組織治療を行うための例示的な組織治療システムのブロック図である。
【図１０】図１０は、本発明の原理による機能を行うためのソフトウェアモジュールのブロック図である。
【図１１】図１１は、患者の組織部位に適用される組織治療の患者履歴を示す例示的な患者履歴ＧＵＩのスクリーンショットである。
【図１２】図１２は、患者の組織部位に適用される組織治療の治療履歴を示す例示的な組織履歴ＧＵＩのスクリーンショットである。
【図１３】図１３は、患者の組織部位が治療されている、例示的な画像履歴ＧＵＩのスクリーンショットである。
【図１４】図１４は、履歴上の患者、治療及び組織部位画像情報を記憶及びアクセスして、組織治療を決定する臨床医を補助するように用いられるための、例示的な方法のフローチャートである。
【発明を実施するための形態】
【００１２】
図１に、例示的な患者環境が、本発明の原理により組織治療システム１０６を用いた、組織部位１０４を有する患者１０２を示している。一実施例においては、組織治療システム１０６は持続陰圧吸引治療装置にすることができる。代替的に、組織治療システム１０６は組織治療のプロセスで患者を補助するのに一般的に利用される任意のシステムにできる。更に、組織治療システム１０６はここに更に記載されるようなソフトウェアを利用して組織部位１０４の治癒をモニタしながら介護者あるいは臨床医を補助するように構成される任意の計算処理システムにできる。
【００１３】
画像キャプチャ装置１０８を用いて、写真で組織部位１０４の画像をキャプチャできる。画像キャプチャ装置１０８はディジタルあるいはアナログフォーマットで画像をキャプチャするように構成されるディジタルカメラ、携帯電話あるいはその他の電子デバイスにできる。一般的には、組織部位１０４の画像のキャプチャリング及び作業を促進するために、ディジタルカメラが組織治療システム１０６と無線通信リンク１１０を設立するように構成されている。無線通信リンク１１０は８０２．１１無線通信リンクあるいはＷｉＦｉ通信リンクにできる。その他の無線通信リンクが用いられうる。代替的に、あるいは更に、無線通信は組織治療システム１０６と画像キャプチャ装置１０８との間に生成される。更には、画像キャプチャ装置１０８は電子デバイス間で移動可能な記憶装置（図示せず）を利用できる。記憶装置は組織治療システム１０６と互換性にできるフラッシュメモリ、メモリスティック、ミニＤＶＤ、あるいはその他の記憶装置を具えることができる。
【００１４】
ここで用いられるような用語「組織部位」は、任意の組織上あるいは内部に配置された創傷あるいは欠損であり、限定しないが、骨組織、脂肪組織、筋組織、神経組織、皮膚組織、血管組織、結合組織、軟骨、腱あるいは靱帯を含んでいる。用語「組織部位」は必ずしも傷を負う又は欠損する必要はなく、代わりに、更なる組織の成長を付加するあるいは促進するのを所望される領域である任意の組織の領域にできる。例えば、減圧組織治療を特定の組織領域で用いて、回収して別の組織位置に移植できる更なる組織を成長させることができる。
【００１５】
用語「臨床医」は減圧伝達システムで相互作用しあるいは減圧伝達システムを調整する、任意の医療専門家、ユーザ、患者のファミリメンバ又は患者を示すようにここでは用いられている。
【００１６】
組織治療システム１０６は、減圧導管（図示せず）を通して組織部位１０４が治療されるように適用される多岐管（図示せず）に減圧を印加することによって、減圧療法を適用するように構成されうる。臨床医がどの程度組織部位１０４が治癒されているかを適切にモニタするために、画像キャプチャ装置１０８は期間にわたって組織部位１０４の画像をキャプチャできる。画像は組織治療システム１０６と通信でき、電子ディスプレイ１１２上に表示できる。組織治療システム１０６はグラフィカルユーザインタフェース（ＧＵＩ）１１４を表示し、その上に表示される組織部位１０４の画像１１６を有するように構成できる。組織治療システム１０６は画像データベース内に各々の画像を記憶できる。
【００１７】
ソフトボタン１１８ａ−１１８ｃあるいは他のグラフィカルな制御要素は電子ディスプレイ１１２上に配置されて、臨床医がモードを入力し、画像を編集し、開発者によって定義可能であり、組織治療システム１０６によって実行されるようなその他の制御を実行することが可能となる。例えば、ソフトボタン１１８ａは、ユーザがスタイラス、コンピュータマウス、指あるいはその他の方法を用いて組織部位１０４の画像１１６の外周部周りあるいはその上の選択点をトレースすることによって、組織部位１０４の画像１１６の周りにトレースを引くことを可能にする。組織部位１０４周りのトレースを算出するのに応じて、ソフトボタン１１８ａを押下することによって起動される機能が、トレース内部の領域を算出できる。別のソフトボタン１１８ｂは、組織治療システム１０６に画像履歴モードで入力させることができ、これによって、組織部位の履歴画像が示され、臨床医によって選択可能になる（図１３参照）。別のソフトボタン１１８ｃは治療履歴に、現在の患者及び現在の組織部位について表示させるようにできる（図１２参照）。臨床医が組織タイプ等を収集し、操作し、編集し、トレースし、定義するのを可能にする任意の機能は組織治療システム１０６上で提供されうることは理解すべきである。
【００１８】
図２によると、例示的なグラフィカルユーザインタフェース２０２は、組織治療システム１０６のタッチ画面１１２上に表示でき、臨床医が組織治療システム１０６を制御するための多数の異なるオプションから選択できる。１の制御オプションは臨床医が治療設定を生成するのを可能にする「設定」ソフトボタン２０４を含むことができる。「設定ガイド」ソフトボタン２０６は異なる設定オプション及び機能について臨床医に指示すべき情報を提供できる。「密封チェック」ソフトボタン２０８は臨床医が組織部位に減圧を提供する際に用いられている多岐管を覆うドレープでの密封漏れを突き止めるのを可能にしている。「治療履歴」ソフトボタン２１０は臨床医が療法あるいは治療履歴（図１２）を表示するのを可能にする。「患者履歴」ソフトボタン２１２は組織治療システム１０６によって記録された患者履歴（図１１）を表示するのを可能にする。「画像履歴」ソフトボタン２１４は期間にわたって得られた１又はそれ以上の組織部位の画像（図１３）を臨床医が表示するのを可能にする。組織部位を治療する際に臨床医を補助する他の機能が、本発明の原理により利用可能であることは理解すべきである。
【００１９】
図３によると、設定ＧＵＩ３００は臨床医が「設定」ソフトボタン２０４（図２）を選択するのに応じて、組織治療システム１０６のタッチ画面１１２上に表示できる。示したように、多数の異なるソフトボタンが、設定する１又はそれ以上の組織治療パラメータを選択するのに利用可能である。利用可能な選択は（ｉ）「圧力」ソフトボタン３０２と、（ｉｉ）「強度」ソフトボタン３０４と、（ｉｉｉ）「連続性」ソフトボタン３０６と、（ｉｖ）「間欠性」ソフトボタン３０８と、（ｖ）「期間」ソフトボタン３１０とを含んでいる。これらのソフトボタンの各々は別個の画面に、選択した機能と関連するような選択あるいは設定のために利用可能な１又はそれ以上のパラメータで表示させることができる。代替的に、各機能に対し別個のスクリーンを有するのではなく、各機能のパラメータは臨床医によって設定ＧＵＩ３００上で表示され、選択的に変えることができる。ほぼ任意のＧＵＩ要素又は機能を利用して、臨床医が患者の組織部位を治療するための治療法を設定するのを可能にできることは理解すべきである。
【００２０】
図４によると、「連続圧力」ＧＵＩ４００が表示でき、患者の組織部位へ印加されるべき圧力の設定を臨床医が変更するのを可能にする。テキスト表示ボックス４０２は圧力設定（例えば、１２５ｍｍＨｇ）を表示でき、臨床医が「＋」ソフトボタン４０４ａあるいは「−」ソフトボタン４０４ｂを押下することによって上下に変えることができる。単一のものとして示されているが、定圧、最大、最小及び過渡圧力設定は代替的に提供されて、臨床医が定常的あるいは間欠的な圧力ではなく、変化する減圧治療特性を提供するのを可能にしている。
【００２１】
図５によると、「間欠圧力」ＧＵＩ５００が表示でき、臨床医が間欠圧力の設定をするのを可能にして、組織治療システム１０６によって患者の組織部位に適用されている。「間欠圧力」ＧＵＩ５００は減圧が組織部位に適用される時間量（例えば、５分）を規定する「ＯＮ時間」テキスト入力フィールド５０２を含むことができる。「ＯＮ時間」テキスト入力フィールド５０２は臨床医が「＋」あるいは「−」ソフトボタン５０４のいずれかを選択することによって変化する値を有している。「ＯＦＦ時間」テキスト入力フィールド５０６は減圧のＯＮ時間の間で減圧がＯＦＦとなる時間量を規定できる。例えば、ＯＦＦ時間は２分に設定できる。ソフトボタン５０８を用いて、減圧のＯＦＦ時間を増減できる。
【００２２】
図６によると、創傷タイプ選択ＧＵＩ６００が表示でき、組織治療システム１０６によって治療すべき創傷タイプあるいは組織タイプを臨床医が選択するのを可能にしている。テキストフィールド６０２を利用して選択に利用できる異なる創傷タイプを示すことができる。異なる創傷タイプは事前に構築され、異なる創傷タイプを治療するための、特定の事前構築されたパラメータを有している。例えば、慢性潰瘍は火傷あるいは裂離創傷と異なる治療を有している。ソフトボタン６０４は臨床医が異なる事前構築した創傷タイプを通って表示及び選択するのを可能にする。ＧＵＩ６００が例示的であり、スクロールバーを有するリストのような他のインタフェースは本発明の原理により利用されうることは理解すべきである。
【００２３】
図７によると、強度ＧＵＩ７００が表示でき、臨床医が組織治療に対する強度を選択するのを可能にする。一実施例においては強度は、どの程度の速度で組織治療システム１０６が減圧設定を過渡するかを規定している。臨床医はそれぞれ、ソフトボタン７０１ａ、７０１ｂあるいは７０１ｃのうちから１つを選択することによって、低、中あるいは高強度を選択できる。代替的な強度設定のしるしが選択でき、１乃至１０の間の番号、文字Ａ−Ｅ、あるいはその他のしるしを含んでいることは理解すべきである。
【００２４】
図８によると、確認ＧＵＩ８００は総てあるいはいくつかの設定が選択あるいは設定されたのに応じて表示できる。示したように、創傷タイプ、圧力、モード及び強度は臨床医が組織治療を開始するために準備することによって設定されている。臨床医が「ＯＫ」ソフトボタンを選択するのに応じて、組織治療システム１０６は組織治療を開始する。
【００２５】
図９によると、例示的な組織治療システム１０６はソフトウェア９０４を実行する処理ユニット９０２を含むことができる。処理ユニット９０２は同一あるいは異なる型の１又はそれ以上のプロセッサで構成できる。例えば、処理ユニット９０２は画像処理を実行して、臨床医が組織部位の画像を編集するのを可能にするように構成される汎用処理ユニットあるいはディジタル信号処理（ＤＳＰ）ユニットを含むことができ、本発明の原理により色調整、トレースあるいはその他のグラフィカル機能を実行できる。
【００２６】
処理ユニット９０２は更に（ｉ）データ及びソフトウェアコードを記憶するためのメモリ９０６と、（ｉｉ）無線で、導線を介して、あるいは記憶入力デバイス（図示せず）を介してディジタルカメラのような他の装置及びシステムと通信するための入力／出力（Ｉ／Ｏ）ユニット９０８と、（ｉｉｉ）１又はそれ以上のファイルを有するデータベースのような、１又はそれ以上のデータリポジトリ９１２ａ乃至９１２ｎ（まとめて、９１２）を記憶できる記憶ユニットと、（ｉｖ）タッチセンシティブである、あるいは、そうでない電子ディスプレイ１１２と通信できる。ソフトウェア９０４は各々の他の装置（例えば、電子ディスプレイ１１２）と接続し、例えば、組織部位の画像収集を実行し、参照呈色マーカの画像に対する色を調節することによって、組織部位の画像をカラー調節するように構成される。
【００２７】
図１０によると、処理ユニット９０２（図９）により実行可能なソフトウェア９０４（図９）のソフトウェアモジュール１０００を利用して、患者、治療及び画像の履歴を含むデータベースを管理できる。示されたソフトウェアモジュール１０００は例示的であり、更なる及び／又は他のソフトウェアモジュールを含んで、同一又は類似の機能性を提供できる。
【００２８】
療法実行モジュール１００２は、臨床医によって構築されるような療法を臨床医が実行するのを可能にするように構成されたソフトウェアモジュールである。例えば、臨床医がパラメータを設定して３０分間１２５ｍｍＨｇの圧力で連続減圧治療を実行でき、療法実行モジュール１００２は患者の組織部位上で減圧療法治療を実行するであろう。
【００２９】
療法履歴データベース管理モジュール１００４は、療法あるいは治療履歴（図１２参照）を含むデータベースを管理するように構成されるソフトウェアモジュールである。治療履歴は１又はそれ以上の患者のためにあり、患者の組織に適用される減圧療法の履歴を示すことができる。データベースは任意のデータベース型にでき、リレーショナル型、フラット型、あるいは当該技術分野で理解されているようなその他の構造を含んでいる。治療履歴データベースは、患者履歴データベースのような、他のデータベースの一部にし、あるいは関連付けることができる。モジュール１００４は臨床医及び／又は医者に対するアクセスを制限するように構成できる。
【００３０】
患者履歴データベース管理モジュール１００６は、患者の履歴を含むデータベースを管理するように構成されたソフトウェアモジュールである。一実施例においては、モジュール１００６は臨床医及び／又は医者に対するアクセスを制限するように構成できる。代替的に、減圧療法が適用される患者が自分自身の治療履歴を見るのを可能にできる。
【００３１】
画像部位履歴データベース管理モジュール１００８は期間にわたって患者から収集された組織部位の画像を管理するように構成されたソフトウェアモジュールである。組織治療システム上で利用可能な履歴記録を有することにより、臨床医が組織部位の履歴、患者履歴及び療法履歴を再調査することを可能にし、どのようにして組織部位が組織部位で行われた規定の療法を進捗させるかに基づいて連続的な治療を決定できる。
【００３２】
図１１によると、組織治療システム１０６が示されて、ある患者に対し生じた事象について、電子ディスプレイ１１２上の患者履歴レコード１１０２ａ乃至１１０２ｎ（まとめて１１０２）を有する患者履歴ＧＵＩ１１００を表示している。スクロールバー１１０４を提供でき、臨床医が患者履歴レコード１１０２のリストを通して上下にスクロールするのを可能にしている。日付、時間及び事象を示すことができる。しかしながら、他の情報を提供して患者の事象の履歴を示すことができる。データベースは１人以上の患者の記録を記憶することができ、各患者の記録は臨床医によって選択可能にできる。臨床医は患者のために組織治療システムに入力される各事象を見ることができる。例えば、レコード１１０２ｍ中の日付２００７年８月２３日１０時２１分０９秒に１２５ｍｍＨｇの連続圧力を臨床医が設定するのを示す「１２５ｍｍＨｇ  連続  設定」を事象が示されうる。
【００３３】
図１２によると、組織治療システム１０６が示され、ある患者の組織部位に対し適用された事象について、電子ディスプレイ１１２上の治療履歴レコード１２０２ａ乃至１２０２ｎ（まとめて１２０２）を有する治療履歴ＧＵＩを表示している。治療履歴レコード１２０２は、治療が患者に適用されるたびの、日付、開始時間、創傷タイプ、モード、圧力、強度、及び治療期間を示している。
【００３４】
図１３によると、組織治療システム１０６が示され、治療中の組織部位の画像履歴レコード１３０２ａ乃至１３０２ｎ（まとめて１３０２）を有する画像履歴ＧＵＩ１３００を表示している。画像履歴レコード１３０２は「サムネイル」画像、日付、及び各画像が組織治療システム１０６でキャプチャされた、あるいは通信された時間を含むことができる。臨床医は記録を選択して、画像を原寸及び選択的に画像を拡大して、組織の詳細を見ることができる。臨床医が画像にトレース、輪郭、しるし、領域、容積及び他の情報を適用する場合、画像は原画像として維持でき、情報は個別に維持でき、あるいは情報を有する第２の画像はデータベース中に維持できる。データベースはリレーショナルデータベースあるいはその他のデータベース型にでき、患者履歴データベース及び治療履歴データベースに関連づけできる。
【００３５】
図１４によると、患者、組織治療、及び組織部位画像の情報を記憶するための例示的なプロセス１４００が提供されている。プロセス１４００はステップ１４０２で開始し、患者履歴情報が記憶できる。ステップ１４０４で、治療履歴情報が記憶される。ステップ１４０６で、組織部位治療情報が記憶される。ステップ１４０８で、履歴情報のうちの少なくとも１の記録がアクセスされる。記録は表示されて、臨床医が患者に対して提供された履歴上の治療に基づいて組織治療を決定するのを可能にし、組織部位に対する組織治療の結果が処理される。
【００３６】
本発明の原理は前の実施例で記載されているが、この記載は説明のためだけに記載され、発明の限定として解釈されることを意図していない。当該技術分野の当業者は特定の患者及び創傷治癒環境に適応できる本発明の変更が分かるであろう。創傷のタイプあるいは治癒が適用されるタイプと単に一致させる場合は、サイズ、及び構成に関してさえ、このような変更は本発明の精神及び範囲から離れることはない。
【図１】
2010504110.tif 000002
【図２】
2010504110.tif 000003
【図３】
2010504110.tif 000004
【図４】
2010504110.tif 000005
【図５】
2010504110.tif 000006
【図６】
2010504110.tif 000007
【図７】
2010504110.tif 000008
【図８】
2010504110.tif 000009
【図９】
2010504110.tif 000010
【図１０】
2010504110.tif 000011
【図１１】
2010504110.tif 000012
【図１２】
2010504110.tif 000013
【図１３】
2010504110.tif 000014
【図１４】
2010504110.tif 000015
【国際調査報告】
2010504110.tif 000016